(57)【要約】【課題】    本発明は、部分的な部材の交換で対応することができる製紙用ストレ−ナ−を提供することを目的としている。【解決手段】    製紙用ストレ−ナ−４は、製紙原料から異物を除去する製紙用ストレ−ナ−４であって、貫通する第１の開口部41ａを複数有するストレ−ナ−部材41と、貫通する第２の開口部42ａを複数有すると共に、ストレ−ナ−部材41に当接して、ストレ−ナ−部材41を支持するストレ−ナ−支持部材42と、ストレ−ナ−部材41をストレ−ナ−支持部材42に固定する固定手段とを有し、第１の開口部41ａは第２の開口部42ａに連通し、前記製紙原料の流入側にストレ−ナ−部材41が位置しているものである。【選択図】図３
2005113301.tif 000002
【特許請求の範囲】
【請求項１】
製紙原料から異物を除去する製紙用ストレ−ナ−であって、
貫通する第１の開口部を複数有するストレ−ナ−部材と、
貫通する第２の開口部を複数有すると共に、前記ストレ−ナ−部材に当接して、前記ストレ−ナ−部材を支持するストレ−ナ−支持部材と、
前記ストレ−ナ−部材を前記ストレ−ナ−支持部材に固定する固定手段とを有し、
前記第１の開口部は前記第２の開口部に連通し、前記製紙原料の流入側に前記ストレ−ナ−部材が位置していることを特徴とする製紙用ストレ−ナ−。
【請求項２】
ストレ−ナ−部材は分割され、分割されたストレ−ナ−部材は離解された製紙原料の流入側に面する部分を有していることを特徴とする請求項１記載の製紙用ストレ−ナ−。
【請求項３】
第１の開口部の大きさと第２の開口部の大きさとが同じであり、前記第１の開口部の大きさと前記第２の開口部の大きさとが一致して連通すると共に、ストレ−ナ−部材の製紙原料の流入側に面する部分と反対側の面の前記第１の開口部を除く部分が、ストレ−ナ−支持部材に当接して、前記ストレ−ナ−部材が前記ストレ−ナ−支持部材に支持されていることを特徴とする請求項１記載の製紙用ストレ−ナ−。
【請求項４】
第２の開口部の大きさは第１の開口部の大きさより大きく形成され、前記第１の開口部を介して流入する製紙原料の出口である前記第２の開口部が広くなっていることを特徴とする請求項１記載の製紙用ストレ−ナ−。
【発明の詳細な説明】
【技術分野】
【０００１】
本発明は、製紙用ストレ−ナ−に係り、特に、製紙用ストレ−ナ−が使用により破損、摩耗が生じた場合、部分的な部材の交換で対応することができる製紙用ストレ−ナ−に関する。
【背景技術】
【０００２】
製紙用ストレ−ナ−は、回転するインペラ−で離解された製紙原料から異物を除去するようにしている（例えば、特許文献１参照））。
【特許文献１】特開平６−５７６６６号公報
【発明の開示】
【発明が解決しようとする課題】
【０００３】
この製紙用ストレ−ナ−にあっては、製紙原料中に含まれる異物等により製紙用ストレ−ナ−が破損したり、摩耗を生じる。
かかる場合、製紙用ストレ−ナ−の製紙原料の流入側に面する部分の破損、摩耗にもかかわらず、製紙用ストレ−ナ−全部を取り替えており、部材としての有効活用の点から、効率的でないという問題点があった。
本発明は、上述した問題点を考慮してなされたもので、部分的な部材の交換で対応することができる製紙用ストレ−ナ−を提供するものである。
【課題を解決するための手段】
【０００４】
上記目的を達成するために、請求項１記載の製紙用ストレ−ナ−は、製紙原料から異物を除去する製紙用ストレ−ナ−であって、貫通する第１の開口部を複数有するストレ−ナ−部材と、貫通する第２の開口部を複数有すると共に、前記ストレ−ナ−部材に当接して、前記ストレ−ナ−部材を支持するストレ−ナ−支持部材と、前記ストレ−ナ−部材を前記ストレ−ナ−支持部材に固定する固定手段とを有し、前記第１の開口部は前記第２の開口部に連通し、前記製紙原料の流入側に前記ストレ−ナ−部材が位置しているものである。
【０００５】
また、請求項２記載の製紙用ストレ−ナ−は、請求項１記載の製紙用ストレ−ナ−において、ストレ−ナ−部材は分割され、分割されたストレ−ナ−部材は離解された製紙原料の流入側に面する部分を有しているものである。
【０００６】
また、請求項３記載の製紙用ストレ−ナ−は、請求項１記載の製紙用ストレ−ナ−において、第１の開口部の大きさと第２の開口部の大きさとが同じであり、前記第１の開口部の大きさと前記第２の開口部の大きさとが一致して連通すると共に、ストレ−ナ−部材の製紙原料の流入側に面する部分と反対側の面の前記第１の開口部を除く部分が、ストレ−ナ−支持部材に当接して、前記ストレ−ナ−部材が前記ストレ−ナ−支持部材に支持されているものである。
【０００７】
また、請求項４記載の製紙用ストレ−ナ−は、請求項１記載の製紙用ストレ−ナ−において、第２の開口部の大きさは第１の開口部の大きさより大きく形成され、前記第１の開口部を介して流入する製紙原料の出口である前記第２の開口部が広くなっているものである。
【発明の効果】
【０００８】
従来、使用により製紙用ストレ−ナ−に破損、摩耗が生じた場合、製紙用ストレ−ナ−全体を取り替えていたが、請求項１記載の製紙用ストレ−ナ−によれば、製紙用ストレ−ナ−は、ストレ−ナ−部材と、ストレ−ナ−部材以外に、ストレ−ナ−部材を支持するストレ−ナ−支持部材を有しているため、使用により破損、摩耗が生じた場合、破損、摩耗し易いストレ−ナ−部材を取り替えることができ、製紙用ストレ−ナ−の取り替えに際し、部分的な部材の交換で対応することができる。
【０００９】
請求項２記載の製紙用ストレ−ナ−によれば、請求項１記載の発明の効果に加え、特に、ストレ−ナ−部材は分割され、分割されたストレ−ナ−部材はパルパ−で離解された製紙原料の流入側に面する部分を有しているため、破損、摩耗した部分を取り替えることができ、部分的な部材の交換で対応することができる。
【００１０】
請求項３記載の製紙用ストレ−ナ−によれば、請求項１記載の発明の効果に加え、第１の開口部の大きさと第２の開口部の大きさとが同じであり、前記第１の開口部の大きさと前記第２の開口部の大きさとが一致して連通している、つまり、第１の開口部と第２の開口部で形成される通路の中途に抵抗がない分、第１の開口部に流入した製紙原料が抵抗を受けずに第２の開口部から流出することができ、しかも、ストレ−ナ−部材の製紙原料の流入側に面する部分と反対側の面の前記第１の開口部を除く部分が、前記支持部材に当接して、前記ストレ−ナ−が前記支持部材に支持されているため、ストレ−ナ−部材を補強することができる。
【００１１】
請求項４記載の製紙用ストレ−ナ−によれば、請求項１記載の発明の効果に加え、第２の開口部の大きさは第１の開口部の大きさより大きく形成され、前記第１の開口部を介して流入する製紙原料の出口である前記第２の開口部が広くなっているため、第１の開口部に流入した製紙原料が第２の開口部から流出し易くなる。
【実施例】
【００１２】
本発明の一実施例の製紙用ストレ−ナ−を図面を参照して説明する。
図１において、１は古紙等の製紙原料を離解するパルパ−で、パルパ−１は、槽２の中で回転するロ−タ３により、水に渦流を起こし、その作用により離解するものである。    離解された製紙原料中の有用繊維は、ロ−タ３に近接して設けられた製紙用ストレ−ナ−４を通過し、排出口５より槽２の外へと導かれるようになっている。
製紙用ストレ−ナ−４は製紙原料から異物を除去するもので、製紙原料中の異物は製紙用ストレ−ナ−４を通過できず槽２内に残留し、槽２内に連通する異物排出口（図示せず）より適宜槽２の外へと導かれるようになっている。
【００１３】
製紙用ストレ−ナ−４は、図２及び図３に示すように、貫通する第１の開口部41ａを複数有するストレ−ナ−部材41と、貫通する第２の開口部42ａを複数有すると共に、ストレ−ナ−部材41に当接して、ストレ−ナ−部材41を支持するストレ−ナ−支持部材42とを有し、後述する固定手段によりストレ−ナ−部材41はストレ−ナ−支持部材42に固定されている。
そして、第１の開口部41ａは第２の開口部42ａに連通し、製紙原料の流入側にストレ−ナ−部材41が位置している。
【００１４】
従来、使用により製紙用ストレ−ナ−に破損、摩耗が生じた場合、製紙用ストレ−ナ−全体を取り替えていたが、この実施例の製紙用ストレ−ナ−４によれば、製紙用ストレ−ナ−４は、ストレ−ナ−部材41と、ストレ−ナ−部材41以外に、ストレ−ナ−部材41を支持するストレ−ナ−支持部材42を有しているため、使用により破損、摩耗が生じた場合、破損、摩耗し易いストレ−ナ−部材41を取り替えることができ、製紙用ストレ−ナ−４の取り替えに際し、部分的な部材の交換で対応することができる。
【００１５】
ストレ−ナ−支持部材42は略ド−ナツ形状で（図４及び図５参照）、ストレ−ナ−支持部材42の中心部近くには周囲より高くなった円柱状の突起部42ｂが、この突起部42ｂより低い位置からストレ−ナ−支持部材42の外周に向かってストレ−ナ−部材41を収納する収納部42ｃが、それぞれ設けられている。ストレ−ナ−支持部材42の中心部よりストレ−ナ−支持部材42の外周に近い位置に雌螺子42ｄが設けられている。
突起部42ｂの側面は、外方に向かって拡大するテ−パ−形状となっており、貫通する第２の開口部42ａは収納部42ｃに設けられている。
第２の開口部42ａを横断する断面形状は、例えば、円である。
【００１６】
ストレ−ナ−部材41は、図６及び図７に示すように、ストレ−ナ−支持部材42に収納され支持された状態においては、ド−ナツ形状となっており、本実施例では、ストレ−ナ−部材41は分割され（例えば、４分割）、分割されたストレ−ナ−部材41は、離解された製紙原料の流入側に面する部分を有している。言い換えれば、離解された製紙原料の流入側に面する部分を有するように、ストレ−ナ−部材41は分割されている。ストレ−ナ−部材41の貫通する第１の開口部41ａは、例えば、円で、円の他、三角形、四角形、多角形等適宜の形でも良い。
突起部42ｂの側面に当接するストレ−ナ−部材41の先端部41ｂ（言い換えれば、ストレ−ナ−部材41の内周部に位置する端部41ｂ）は、突起部42ｂの側面のテ−パ−形状に合致するように、該テ−パ−形状と逆向きのテ−パ−形状となっている。
また、ストレ−ナ−部材41の内周部に位置する端部41ｂの傾斜とストレ−ナ−部材41の外周部に位置する端部41ｃの傾斜で形成される部分は、ストレ−ナ−部材41の製紙原料の流入側と反対に位置する側からストレ−ナ−部材41の製紙原料の流入側に向かって、狭くなるようになっている。
なお、ストレ−ナ−部材41は一体的に設けてド−ナツ形状としても良いが、ストレ−ナ−部材41を分割することにより、破損、摩耗した場合、より部分的な部材の交換で対応することができる利点を有する。
【００１７】
43はリング状部材で、リング状部材43の形状は、後述する固定手段によりリング状部材43を介してストレ−ナ−部材41をストレ−ナ−支持部材42に固定した状態では、リングとなっており、本実施例では、リング状部材43は分割されている（例えば、４分割）。リング状部材43には、ボルト51の頭部を収納する凹所43ａ、ボルト51の軸部を通す穴43ｂ、リング状部材43のストレ−ナ−部材41の端部41ｃに当接する部分43ｃは、端部41ｃの傾斜と逆向きの傾斜となっている（図８及び図９参照）。
【００１８】
なお、ストレ−ナ−部材41をストレ−ナ−支持部材42に固定する固定手段は、ストレ−ナ−部材41をストレ−ナ−支持部材42に溶接により両者を固着しても良いが、本実施例においては、ボルト51によりストレ−ナ−部材41をストレ−ナ−支持部材42に着脱自在に取り付けている。
即ち、ストレ−ナ−支持部材42の側面の傾斜にストレ−ナ−部材41の端部41ｂの傾斜を合わせると共に、ストレ−ナ−部材41の端部41Ｃの傾斜にリング状部材43の部分43ｃを合わせた状態において、リング状部材43に設けた穴43ｂを通してストレ−ナ−支持部材42に設けた雌螺子42ｄにボルト51に設けた雄螺子51ａを螺合させ、ストレ−ナ−部材41をストレ−ナ−支持部材42に着脱自在に取り付けている。
【００１９】
なお、第１の開口部41ａと第２の開口部42ａとは連通していれば良いが、場合により、図１０に示すように、第１の開口部41ａ（例えば、断面が円）の大きさと第２の開口部42ａ（例えば、断面が円）の大きさとを同じとし、第１の開口部41ａの大きさと第２の開口部42ａの大きさとが一致して連通するようにしても良い。
このようにすると、第１の開口部41ａと第２の開口部42ａで形成される通路の中途に抵抗がない分、第１の開口部41ａに流入した製紙原料が抵抗を受けずに第２の開口部42ａから流出することができ、しかも、ストレ−ナ−部材41の製紙原料の流入側に面する部分と反対側の面の第１の開口部41ａを除く部分が、ストレ−ナ−支持部材42に当接して、ストレ−ナ−部材41がストレ−ナ−支持部材42に支持されているため、ストレ−ナ−部材41を補強することができる。
【００２０】
また、第２の開口部42ａの大きさを第１の開口部41ａの大きさより大きく形成し、図１１に示すように、第１の開口部41ａ（例えば、断面が円）を介して流入する製紙原料の出口である第２の開口部42ａ（例えば、断面が円）が広くなるようにしても良い。
このようにすると、第１の開口部41ａを介して流入する製紙原料の出口である第２の開口部42ａが広くなっているため、第１の開口部41ａに流入した製紙原料が第２の開口部42ａから流出し易くなり、処理量が増大する。
【００２１】
また、ストレ−ナ−部材41が使用により破損、摩耗が生じた場合、ストレ−ナ−部材41の裏側を表側へ反転して使用できるように、図１２に示すように、ストレ−ナ−部材41の内周部に凸部、例えば、内周部に位置する端部41ｂ’の傾斜及びストレ−ナ−部材41の外周部に位置する端部41ｃ’を中央が高く山形形状にすると共に、端部41ｂ’の傾斜に当接するように、突起部42ｂの側面形状を凹部、例えば、中央を低く谷形状に、リング状部材43のストレ−ナ−部材41の端部41ｃ’に当接する部分43ｃを中央を低く谷形状にすることもできる。また、図示しないが、前述の内周部の凸部に代わって逆に凹部とし、突起部42ｂの側面形状の凹部に代わって逆に凸部としても良い。更に、図示しないが、前述の内周部及び突起部42ｂの側面形状を凹凸のない平坦な面とし、ストレ−ナ−部材41とストレ−ナ−支持部材42とを溶接により両者を固定しても良い。
【００２２】
上述した実施例においては、製紙用ストレ−ナ−４をパルパ−１に適用した例を示したが、本願発明にあっては、これに限らず、パルパ−１以外の離解機にも適用できるものである。
【図面の簡単な説明】
【００２３】
【図１】図１は、本発明の一実施例の製紙用ストレ−ナ−を組み込んだパルパ−の概略的断面図である。
【図２】図２は、図１の製紙用ストレ−ナ−を拡大して示す概略的拡大断面図である。
【図３】図３は、図２の製紙用ストレ−ナ−を分解して示す概略的分解断面図である。
【図４】図４は、図２のストレ−ナ−支持部材の概略的平面図である。
【図５】図５は、図４の５−５線による概略的断面図である。
【図６】図６は、図２のストレ−ナ−部材の概略的平面図である。
【図７】図７は、図６の７−７線による概略的断面図である。
【図８】図８は、図２のリング状部材の概略的平面図である。
【図９】図９は、図８の９−９線による概略的断面図である。
【図１０】図１０は、第１の開口部と第２の開口部の関係を示す概略的断面図である。
【図１１】図１１は、図９と異なる他の実施例の第１の開口部と第２の開口部の関係を示す概略的断面図である。
【図１２】図１２は、図２と異なる他の実施例の概略的断面図である。
【符号の説明】
【００２４】
４  ・・・・・製紙用ストレ−ナ−
41  ・・・・・ストレ−ナ−部材
41ａ・・・・・第１の開口部
42  ・・・・・ストレ−ナ−支持部材
42ａ・・・・・第２の開口部
【図１】
2005113301.tif 000003
【図２】
2005113301.tif 000004
【図３】
2005113301.tif 000005
【図４】
2005113301.tif 000006
【図５】
2005113301.tif 000007
【図６】
2005113301.tif 000008
【図７】
2005113301.tif 000009
【図８】
2005113301.tif 000010
【図９】
2005113301.tif 000011
【図１０】
2005113301.tif 000012
【図１１】
2005113301.tif 000013
【図１２】
2005113301.tif 000014